(57)【要約】【課題】自立式ボイラという舶用ボイラの特長を損なうことなく、火炉や過熱器ヘッダの撓み量抑制が可能となる舶用ボイラ構造を提供する。【解決手段】火炉と、蒸発管側でボイラ本体下面を固定支持する固定支持脚２０Ａと、蒸発管側のボイラ本体下面で固定支持脚２０Ａと異なる箇所を缶前後方向の熱伸びを許容して支持する蒸気管側スライド支持脚２０と、火炉側で熱伸びを許容してボイラ本体下面を支持する火炉側スライド支持脚と、固定支持脚２０Ａ及び蒸発管側スライド支持脚２０近傍のボイラ本体下面で缶前後方向に配設された過熱器ヘッダ１１とを備えた自立式ボイラとされ、過熱器ヘッダ１１は、缶前後方向両端部をボイラ本体下面側から吊下支持する過熱器サポート部材４０と、ボイラ本体下面の中間部を支持する固定支持脚２０Ａまたは蒸発管側スライド支持脚２０に固定支持された過熱器中間サポート部材５０と、により支持されている。【選択図】図１
2014001878.tif 000002
【特許請求の範囲】
【請求項１】
缶左右方向に配置した火炉と、
前記火炉の蒸発管側でボイラ本体下面を固定支持する一つの固定支持脚と、
前記蒸発管側の前記ボイラ本体下面で前記固定支持脚と異なる箇所を缶前後方向の熱伸びを許容して支持する蒸気管側スライド支持脚と、
火炉側で缶左右方向を含む熱伸びを許容して前記ボイラ本体下面を支持する火炉側スライド支持脚と、
前記固定支持脚及び前記蒸発管側スライド支持脚近傍の前記ボイラ本体下面で缶前後方向に配設されている過熱器ヘッダと、
を備えた自立式ボイラとされ、
前記過熱器ヘッダは、缶前後方向両端部を前記ボイラ本体下面側から吊下支持する過熱器サポート部材と、前記ボイラ本体下面の中間部を支持する前記固定支持脚または前記蒸発管側スライド支持脚に固定支持された過熱器中間サポート部材と、により支持されていることを特徴とする舶用ボイラ構造。
【請求項２】
前記過熱器中間サポート部材による前記過熱器ヘッダの支持部は、前記火炉の傾斜と平行な前記缶左右方向の移動が許容されていることを特徴とする請求項１に記載の舶用ボイラ構造。
【請求項３】
請求項１または２に記載の舶用ボイラ構造とした舶用ボイラを有することを特徴とする船舶。
【請求項４】
蒸発管側のボイラ本体下部に配設された缶前後方向の過熱器ヘッダを備え、前記ボイラ本体下面に支持脚を備えている自立式ボイラとした舶用ボイラの過熱器ヘッダ支持方法であって、
缶左右方向に配置した火炉と、
蒸発管側で前記ボイラ本体下面の両端部及び中間部のいずれか１箇所を固定支持する固定支持脚と、
前記蒸発管側の前記ボイラ本体下面で前記固定支持脚と異なる箇所を缶前後方向の熱伸びを許容して支持する蒸気管側スライド支持脚と、
火炉側で缶左右方向を含む熱伸びを許容して前記ボイラ本体下面の両端部及び中間部を支持する火炉側スライド支持脚と、を備え、
前記過熱器ヘッダを前記固定支持脚及び前記蒸気管側スライド支持脚近傍に配設するとともに、
前記過熱器ヘッダを、缶前後方向両端部をボイラ本体下面側から吊下支持する過熱器サポート部材と、ボイラ本体下面の中間部を支持する前記固定支持脚に固定支持された過熱器中間サポート部材と、により支持させることを特徴とする舶用ボイラの過熱器ヘッダ支持方法。
【発明の詳細な説明】
【技術分野】
【０００１】
本発明は、たとえば船舶に搭載される舶用主ボイラや浮体式海洋設備のデッキボイラ等に適用される舶用ボイラ構造、船舶及び舶用ボイラの過熱器ヘッダ支持方法に関する。
【背景技術】
【０００２】
従来、船舶に搭載される舶用ボイラは、発電所等で使用される陸用ボイラと比較して設置スペースの制約が大きいことから、コンパクトな構造が優先された工場完成品のパッケージボイラとなる。このため、ボイラ本体の下部には自立用の脚を備えており、工場から現地に搬送して容易に設置可能な構造となっている。すなわち、舶用ボイラは、パッケージボイラとも呼ばれる自立式ボイラである。
このような舶用ボイラは、たとえば下記の特許文献１（図１参照）に示すように、水ドラムの下方等に自立用の脚部を備えたものとなる。
【０００３】
図７に示す従来構造の舶用ボイラ１は自立式ボイラであり、図中に矢印Ａで示す缶前方向から見た火炉２の側面視が略矩形となっている。
また、火炉２の側面視においては、ボイラ本体下面が水ドラム９からサイドボトムヘッダ１２へ向けて下がるように、略矩形の火炉２を傾斜させた状態にして設置されている。
【０００４】
このように傾斜設置された舶用ボイラ１は、自立用として４本の支持脚を備えている。このうち、水ドラム９の下部両端に配設された２本の支持脚は、いずれか一方（図示の例では缶後側が固定支持脚２０とされ、図示しない他方の１本がスライド支持脚となる。また、サイドボトムヘッダ１２の下部両端に配設された２本の支持脚は、いずれもスライド支持脚３０となる。なお、スライド支持脚３０は、運転時の温度上昇に伴う熱伸び（熱応力）を吸収可能とした支持脚である。
また、従来の過熱器ヘッダ１１は、たとえば図８に示すように、缶前後方向の両端部近傍に設けた過熱器サポート４０により支持されている。この過熱器サポート４０は、ケーシングをブロック化した支持構造物であり、水ドラム９に連結された底部ヘッダ１３に支持された構造となっている。
【先行技術文献】
【特許文献】
【０００５】
【特許文献１】特開２０１１−１１７７０１号公報
【発明の概要】
【発明が解決しようとする課題】
【０００６】
ところで、近年の舶用ボイラは、たとえば浮体式海洋石油・ガス生産貯蔵積出設備（ＦＰＳＯ；Floating Production, Storage and Offloading System）のデッキボイラ等にも採用されるケースが増加しているため、要求される蒸発能力の増大に伴って火炉全体が大型化する傾向にある。なお、以下の説明においては、火炉２の左右寸法を奥行寸法、缶左右方向を奥行方向、缶前後寸法を幅寸法、そして、缶前後方向を幅方向とする。
具体的には、従来構造の火炉２は、奥行寸法や幅寸法が５〜６ｍ程度であるため、水ドラム９の下部両端に配設された２本の固定支持脚２０と、サイドボトムヘッダ１２の下部両端に配設された２本のスライド支持脚３０とにより支持され、さらに、過熱器ヘッダ１１についても、缶前後方向の両端部付近２箇所が底部ヘッダ１３から吊り下げるように支持されている。
【０００７】
しかし、火炉寸法が大型化（たとえば、奥行寸法や幅寸法が１２ｍ程度）すると、缶前後方向における支持脚間のスパンに加えて、缶前後方向に設置された過熱器ヘッダ１１も長尺化する。このため、従来の両端支持構造では、過熱器ヘッダ１１の撓み量が増加することは避けられない。
この結果、過熱器ヘッダ１１を支持する過熱器サポート４０には、撓み量に応じて強制変異が加わるので、舶用ボイラ１の缶前後方向においては、過熱器サポート４０の発生応力が許容応力を超過することも懸念される。
【０００８】
上述した撓み対策としては、サポート部材の強度アップや過熱器ヘッダ１１の板厚を増すこと、あるいは、現地にてボイラ据付後にボイラ据付面からサポート脚を追加して設置することも考えられる。しかし、強度や板厚を増す対策には限界があり、また、サポート脚追加の対策では、現地におけるサポート脚の追加工事完了まで強度の確保が困難であることに加えて、現地工事の追加も必要になることから、自立式ボイラという舶用ボイラの特長や利点が損なわれるという問題を有している。
本発明は、上記の課題を解決するためになされたもので、その目的とするところは、自立式ボイラという舶用ボイラの特長を損なうことなく、火炉や過熱器ヘッダの撓み量抑制が可能となる舶用ボイラ構造、この舶用ボイラ構造の舶用ボイラを備えた船舶及び舶用ボイラの過熱器ヘッダ支持方法を提供することにある。
【課題を解決するための手段】
【０００９】
本発明は、上記の課題を解決するため、下記の手段を採用した。
本発明に係る舶用ボイラ構造は、缶左右方向に配置した火炉と、前記火炉の蒸発管側でボイラ本体下面を固定支持する一つの固定支持脚と、前記蒸発管側の前記ボイラ本体下面で前記固定支持脚と異なる箇所を缶前後方向の熱伸びを許容して支持する蒸気管側スライド支持脚と、火炉側で缶左右方向を含む熱伸びを許容して前記ボイラ本体下面を支持する火炉側スライド支持脚と、前記固定支持脚及び前記蒸発管側スライド支持脚近傍の前記ボイラ本体下面で缶前後方向に配設されている過熱器ヘッダと、を備えた自立式ボイラとされ、前記過熱器ヘッダは、缶前後方向両端部を前記ボイラ本体下面側から吊下支持する過熱器サポート部材と、前記ボイラ本体下面の中間部を支持する前記固定支持脚または前記蒸発管側スライド支持脚に固定支持された過熱器中間サポート部材と、により支持されていることを特徴とするものである。
【００１０】
このような舶用ボイラ構造によれば、缶左右方向に配置した火炉と、火炉の蒸発管側でボイラ本体下面を固定支持する一つの固定支持脚と、蒸発管側のボイラ本体下面で固定支持脚と異なる箇所を缶前後方向の熱伸びを許容して支持する蒸気管側スライド支持脚と、火炉側で缶左右方向を含む熱伸びを許容してボイラ本体下面を支持する火炉側スライド支持脚と、固定支持脚及び蒸発管側スライド支持脚近傍のボイラ本体下面で缶前後方向に配設されている過熱器ヘッダと、を備えた自立式ボイラとされ、過熱器ヘッダは、缶前後方向両端部をボイラ本体下面側から吊下支持する過熱器サポート部材と、ボイラ本体下面の中間部を支持する固定支持脚または蒸発管側スライド支持脚に固定支持された過熱器中間サポート部材と、により支持されているので、固定支持脚、蒸発管側スライド支持脚及び火炉側スライド支持脚を備えた自立式ボイラの特長を維持し、かつ、過熱器中間サポート部材で長尺化した過熱器ヘッダの中央付近を支持して撓みを抑えることができる。
なお、ボイラ本体下面の缶前後方向中間部を支持する支持脚の数は、火炉寸法に応じて１または２以上の複数とすることができる。
【００１１】
上記の発明において、前記過熱器中間サポート部材による前記過熱器ヘッダの支持部では、前記火炉の傾斜と平行な缶左右方向の移動を許容することが好ましく、これにより、火炉の熱変形と一体に移動する両端部の支持と異なる過熱器ヘッダの中央部についても、火炉の熱変形方向へ自由に移動することが可能になる。すなわち、火炉の熱変形に伴い、過熱器ヘッダの中央部に応力が生じることを防止できる。
この場合、過熱器ヘッダが缶左右方向に移動することを許容する構造としては、缶左右方向の長穴を用いたボルト固定構造や、缶前後方向や上下方向の移動を規制して缶左右方向の移動のみ許容するスライドレール構造等がある。
【００１２】
本発明に係る船舶は、請求項１または２に記載の舶用ボイラ構造とした舶用ボイラを有することを特徴とするものである。
【００１３】
このような船舶によれば、請求項１または２に記載の舶用ボイラ構造とした舶用ボイラを有するので、舶用ボイラにおいては、固定支持脚、蒸発管側スライド支持脚及び火炉側スライド支持脚を備えた自立式ボイラの特長を維持し、かつ、過熱器中間サポート部材で長尺化した過熱器ヘッダの中央付近を支持して撓みを抑えることができる。
【００１４】
本発明に係る舶用ボイラの過熱器ヘッダ支持方法は、蒸発管側のボイラ本体下部に配設された缶前後方向の過熱器ヘッダを備え、前記ボイラ本体下面に支持脚を備えている自立式ボイラとした舶用ボイラの過熱器ヘッダ支持方法であって、缶左右方向に配置した火炉と、蒸発管側で前記ボイラ本体下面の両端部及び中間部のいずれか１箇所を固定支持する固定支持脚と、前記蒸発管側の前記ボイラ本体下面で前記固定支持脚と異なる箇所を缶前後方向の熱伸びを許容して支持する蒸気管側スライド支持脚と、火炉側で缶左右方向を含む熱伸びを許容して前記ボイラ本体下面の両端部及び中間部を支持する火炉側スライド支持脚と、を備え、前記過熱器ヘッダを前記固定支持脚及び前記蒸気管側スライド支持脚近傍に配設するとともに、前記過熱器ヘッダを、缶前後方向両端部をボイラ本体下面側から吊下支持する過熱器サポート部材と、ボイラ本体下面の中間部を支持する前記固定支持脚に固定支持された過熱器中間サポート部材と、により支持させることを特徴とするものである。
【００１５】
このような舶用ボイラの過熱器ヘッダ支持方法によれば、蒸発管側のボイラ本体下部に配設された缶前後方向の過熱器ヘッダを備え、ボイラ本体下面に支持脚を備えている自立式ボイラとした舶用ボイラの過熱器ヘッダ支持方法であって、缶左右方向に配置した火炉と、蒸発管側で前記ボイラ本体下面の両端部及び中間部のいずれか１箇所を固定支持する固定支持脚と、蒸発管側のボイラ本体下面で固定支持脚と異なる箇所を缶前後方向の熱伸びを許容して支持する蒸気管側スライド支持脚と、火炉側で缶左右方向を含む熱伸びを許容してボイラ本体下面の両端部及び中間部を支持する火炉側スライド支持脚と、を備え、過熱器ヘッダを固定支持脚及び蒸気管側スライド支持脚近傍に配設するとともに、過熱器ヘッダを、缶前後方向両端部をボイラ本体下面側から吊下支持する過熱器サポート部材と、ボイラ本体下面の中間部を支持する固定支持脚に固定支持された過熱器中間サポート部材と、により支持させるようにしたので、固定支持脚、蒸発管側スライド支持脚及び火炉側スライド支持脚を備えた舶用ボイラの特長を維持し、かつ、過熱器中間サポート部材で長尺化した過熱器ヘッダの中央付近を支持して撓みを抑えることができる。
【発明の効果】
【００１６】
上述した本発明によれば、自立式ボイラの特長を損なうことなく火炉全体を大型化し、しかも、火炉や過熱器ヘッダの撓み量を抑制して信頼性や耐久性の高い舶用ボイラ構造を提供することが可能になる。
【図面の簡単な説明】
【００１７】
【図１】本発明に係る舶用ボイラ構造及び舶用ボイラの過熱器ヘッダ支持方法の一実施形態を示す図で、過熱器ヘッダの支持構造を示す平面図である。
【図２】本発明の一実施形態に係る舶用ボイラ構造について、過熱器ヘッダの中央部支持構造を缶前方向から見て示す縦断面図である。
【図３】図２に示した舶用ボイラ構造について、支持脚の配置及び熱変形による支持脚のスライド方向を示す平面図である。
【図４】図２に示した過熱器ヘッダの中央部支持構造について、要部を拡大して示す図である。
【図５】図４のＡ−Ａ断面図である。
【図６】過熱器中間サポート部材を構成するアーム部材のベース板に設けた長穴を示す平面図である。
【図７】従来の舶用ボイラ構造概要を示す斜視図である。
【図８】缶前側端部の過熱器ヘッダ支持構造を示す斜視図である。
【発明を実施するための形態】
【００１８】
以下、本発明に係る舶用ボイラ構造及び舶用ボイラの過熱器ヘッダ支持方法の一実施形態を図面に基づいて説明する。
図２に示す本実施形態の舶用ボイラ１Ａは、パッケージボイラとも呼ばれる自立式ボイラであり、火炉２の上部に設置された複数のバーナ３を備えている。このバーナ３は、風箱に設置されており、燃焼用空気を用いて供給された燃料を燃焼させることで燃焼ガスを生成する。こうして生成された燃焼ガスは、下流側に配置された熱交換器に供給される。
【００１９】
バーナ３で発生した燃焼ガスは、火炉２の下流（伝熱バンク側）に配設されている伝熱管群Ｈｔ（熱交換器群）を通過して熱交換する。図示の構成では、フロントバンクチューブ４、過熱器５及び蒸発管群（リアバンクチューブ）６の順番に熱交換器が配置され、燃焼ガスは各熱交換器のチューブ内を流れる水等の流体と熱交換を行う。
以下の説明においては、フロントバンクチューブ４、過熱器５及び蒸発管群６のような重量の大きい伝熱管群Ｈｔが設置され、燃焼ガス流れ方向の下流側となる火炉２の領域については、「蒸発管側」とも呼ぶことにする。この蒸発管側に対し、燃焼ガスを生成し、燃焼ガス流れ方向の上流側で伝熱管群Ｈｔのような重量物がない領域については、「火炉側」とも呼ぶことにする。
【００２０】
こうして熱交換を終えた燃焼ガスは、出口側ガスダクト７を通ってガス出口８から舶用ボイラ１の外部へ排出される。すなわち、図示の舶用ボイラ１Ａにおいて、バーナ３の燃焼で発生した燃焼ガスは、その主流が火炉２の内部を図中に矢印Ｇで示すように流れ、火炉２の下流側（蒸発管側）に設置された熱交換器の伝熱管群Ｈｔを通過することにより、各伝熱管内を流れる蒸気等の流体を加熱するように構成されている。
なお、図中の符号９は水ドラム、１０は蒸気ドラム、１１は過熱器ヘッダ、１２はサイドボトムヘッダ１２である。
【００２１】
さて、本実施形態の舶用ボイラ１Ａは、パッケーボイラとも呼ばれている自立型ボイラであり、缶前方向から見た火炉２の側面視が略矩形となっている。また、火炉２の側面視において、火炉２が水ドラム９からサイドボトムヘッダ１２へ向けて下がるように傾斜して設置されている。すなわち、火炉２は、缶左右方向において、缶前方向から見て右側となる燃焼ガス流れ方向の上流側を下げて、換言すれば、重量の大きい蒸発管側のボイラ本体下面２ａを高くして傾斜設置されている。
このように傾斜設置された舶用ボイラ１Ａは、図１〜図３に示すように、自立用の脚部として、水ドラム９の下部に配設された蒸発管側の固定支持脚２０Ａ及び蒸発管側スライド支持脚２０と、サイドボトムヘッダ１２の下部に配設された火炉側の火炉側スライド支持脚３０，３０Ａとを備えている。
【００２２】
図示の構成例では、重量の大きい蒸発管側を支持するため、水ドラム９の下部にスパンを最適化して合計３箇所の支持脚が設けられている。この場合、缶前後方向の中央部に配置された１つが固定支持脚２０Ａとされ、両端部に配置された２つの支持脚が蒸発管側スライド支持脚２０とされるが、固定支持脚２０Ａの配置は特に限定されることはない。
図示の固定支持脚２０Ａは、蒸発管側スライド支持脚２０と缶前後方向の同一直線上にあり、缶前後方向両端に配置された蒸発管側スライド支持脚２０の中間部に設置されている。この場合、固定支持脚２０Ａは、舶用ボイラ１Ａの運転時に生じる熱変形（熱伸び）に対して、唯一設けた固定点側の支持脚となる。すなわち、固定支持脚２０Ａは、缶左右方向及び缶前後方向の両方向において、いずれの方向にも移動しない固定点となる。
【００２３】
これに対し、蒸発管側スライド支持脚２０は、燃焼ガス流れ方向下流側の蒸発管側で、ボイラ本体下面２ａの缶左右方向と直交する缶前後方向の両端部、具体的には水ドラム９の下面両端部付近を支持する一対のサポート部材である。
この蒸発管側スライド支持脚２０は、各々が図３に破線矢印Ｓａで示すスライド方向に移動（スライド）可能な構造とし、従って、舶用ボイラ１Ａの運転に伴う缶前後方向の熱伸びを許容することができる。すなわち、中央部の固定支持脚２０Ａを基点として、缶前後方向の両方向で熱伸びを吸収できる。
【００２４】
ところで、缶前後方向に配列されて蒸発管側を支持する複数の支持脚は、両端部及び中央部のいずれか１箇所のみを適宜選択して固定支持脚２０Ａとすればよい。なお、固定支持脚については蒸発管側に限定されることはないが、後述する火炉側と比較して支持荷重が大きいこと、そして、蒸発管側のボイラ本体下面２ａが高い傾斜設置となっていることから、蒸発管側の支持脚に設けることが好ましい。
【００２５】
また、図示の実施形態では、両端部に配置した蒸発管側スライド支持脚２０の間に１つの固定支持脚２０Ａを設けてあるが、過熱器ヘッダ１１がさらに長尺の場合には、支持脚間のスパンを最適化するため、蒸発管側スライド支持脚２０を追加設置してもよい。この場合、缶前後方向に設ける支持脚数は、両端の蒸発管側スライド支持脚２０及び上述した１箇所の固定支持脚２０Ａに加えて、蒸発管側スライド支持脚２０を適宜追加した合計４以上となる。なお、支持脚数を４以上の偶数とする場合、固定支持脚２０Ａの位置は、缶前後方向の中央部に最も近い位置とすればよい。
【００２６】
火炉側スライド支持脚３０，３０Ａは、缶前後方向でボイラ本体下面２ａの両端部及び中間部、具体的にはサイドボトムヘッダ１２の下面を支持するサポート部材である。この火炉側スライド支持脚３０，３０Ａは、上述した蒸発管側スライド支持脚２０及び固定支持脚２０Ａと平行な缶前後方向の同一直線上に同数設けられている。
このうち、缶前後方向の両端部に設置された火炉側スライド支持脚３０は、缶左右方向及び缶前後方向の熱伸び、すなわち、図３に破線矢印Ｓｂで示す平面視のスライド方向において、缶左右方向及び缶前後方向の熱伸びを合成した斜め方向の熱伸びを許容する構造の支持脚である。この火炉側支持脚３０は、缶前後方向におけるそれぞれの位置が蒸発管側スライド支持脚２０と同一である。
【００２７】
一方、缶前後方向の中央部に設置された火炉側スライド支持脚３０Ａは、缶左右方向の熱伸び、すなわち、図３に破線矢印Ｓｃで示す平面視のスライド方向（缶左右方向）の熱伸びを許容するように構成された支持脚である。この火炉側スライド支持脚３０Ａは、缶前後方向の位置が固定支持脚２０Ａと同一である。
このように、火炉側スライド支持脚３０，３０Ａは、運転時の温度上昇により蒸発管側の固定支持脚２０Ａから缶前後方向及び缶左右方向に生じる熱伸びを許容して吸収するように構成されている。
【００２８】
そして、缶前後方向において固定支持脚２０Ａと同一位置にあるスライド支持脚３０Ａの支持部は、舶用ボイラ１Ａの運転・停止により熱変形が生じると、図２に矢印Ｓ１で示す方向に、すなわち、ボイラ本体下面２ａの傾斜方向にスライドして熱変形を吸収するようになっている。換言すれば、火炉２は、運転時の温度上昇により蒸発管側の固定支持脚２０Ａから缶左右方向（図２の紙面右側）に熱伸びするので、スライド支持脚３０Ａの支持部において矢印Ｓ１の移動を許容することにより、熱応力の発生を防止している。
【００２９】
過熱器ヘッダ１１は、蒸発管側スライド支持脚２０及び固定支持脚２０Ａの近傍となるボイラ本体下面側に設置された底部ヘッダ１３の下面に配置されている。この過熱器ヘッダ１１は、所定の間隔をもって缶前後方向へ平行に配設されている一対の配管部材であり、過熱器５を構成するチューブ群の両端部がそれぞれに接続されている。また、一対の過熱器ヘッダ１１は、互いの軸中心Ｃを結ぶ線Ｌ（図４参照）がボイラ本体下面２ａの傾斜と平行に配置されている。
そして、上述した過熱器ヘッダ１１は、缶前後方向両端部を底部ヘッダ１３側から吊下支持する過熱器サポート部材４０と、水ドラム９の中間部を支持する固定支持脚２０Ａに固定支持された過熱器中間サポート部材５０とにより支持されている。
【００３０】
過熱器サポート部材４０は、たとえば図８に示すように、水ドラム９に接続されて缶左右方向へ延在する底部ヘッダ１３に固定して吊り下げられたブロック状の支持構造部材である。従って、過熱器サポート部材４０は、火炉２の熱変形と一体に缶左右方向へ移動する支持部材となるので、過熱器ヘッダ１１の両端部において特別な缶左右方向の熱変形対策は施されていない。なお、底部ヘッダ１３及び過熱器サポート部材４０の支持部は、過熱器ヘッダ１１の軸中心Ｃを結ぶ線Ｌと平行とるように傾斜している。
【００３１】
過熱器中間サポート部材５０は、たとえば図４〜図６に示すように、固定支持脚２０Ａの側面部に対して溶接等により固定された配管支持部材である。この過熱器中間サポート部材５０は、固定支持脚２０Ａに固定されたアーム固定部材５１と、このアーム固定部材５１に取り付けられた２本のアーム部材５２と、アーム部材５２の固定に使用される複数本のボルト５３とを主な構成要素とする。
【００３２】
アーム固定部材５１は、過熱器ヘッダ１１の軸中心Ｃを結ぶ線Ｌと平行な支持面５１ａを有している。この支持面５１ａには、アーム部材５２をボルト５３で固定するためのボルト穴が必要数穿設されている。なお、図中の符号５１ｂは、片持ち梁となるアーム固定部材５１の先端部を支持する補強部材である。
【００３３】
アーム部材５２は、矩形のベース板５２ａに柱状部材５２ｂを溶接等により固定し、さらに、柱状部材５２ｂの上端部に過熱器ヘッダ１１のヘッダ支持面５２ｃを取り付けたものである。なお、図示のアーム部材５２は、略Ｔ字断面の柱状部材５２ｂの上端に円弧状のヘッダ支持面５２ｃを設けているが、これに限定されることはない。
【００３４】
また、ベース板５２ａには、アーム固定部材５１の支持面５１ａにボルト５３を用いてアーム部材５２を固定するため、ボルト穴となる缶左右方向の長穴５２ｄが設けられている。この長穴５２ｄは、アーム部材５２のヘッダ支持面５２ｃに固定支持された過熱器ヘッダ１１の中央部が、図７及び図８に示す底部ヘッダ１３の熱変形により缶左右方向へスライドすることを許容するものである。
【００３５】
すなわち、過熱器ヘッダ１１は、過熱器サポート部材４０に支持された両端部が底部ヘッダ１３の熱変形に伴って缶左右方向（厳密にはボイラ本体下面２ａの傾斜方向）へスライドする。このため、火炉２の熱変形と一体に移動する両端部の支持構造とは異なる過熱器ヘッダ１１の中央部は、換言すれば、熱影響を受けない固定支持脚２０Ａに固定された過熱器中間サポート部材５０に支持されている過熱器ヘッダ１１の中間部は、熱変形対策を何ら施さない支持構造だと応力を受けることになる。
【００３６】
そこで、本実施形態においては、ベース板５２ａに長穴５２ｄを設けたことにより、過熱器中間サポート部材５０による過熱器ヘッダ１１のヘッダ支持面５２ｃが、アーム部材５２とともに火炉２の傾斜と平行な缶左右方向に移動可能となる。
すなわち、過熱器ヘッダ１１の両端部が缶左右方向へスライドしても、ベース板５２ａ及びベース板５２より上部のアーム部材５２は、アーム固定部材５１及びボルト５３に対して、長穴５２ｄの範囲内において缶左右方向（図３に破線矢印Ｓｄで示す平面視のスライド方向）へのスライドが許容される。
【００３７】
従って、過熱器ヘッダ１１の中間部においても、底部ヘッダ１３の熱変形方向へ自由に移動することが可能になり、この結果、火炉２の熱変形に伴う過熱器ヘッダ１１の中央部に応力が生じることを防止できる。
なお、過熱器ヘッダ１１の中央部が缶左右方向に移動することを許容する構造は、缶左右方向の長穴５２ｄを用いたボルト固定構造に限定されることはなく、たとえば缶前後方向や上下方向の移動を規制して缶左右方向の移動のみを許容するスライドレール構造等を採用してもよい。
【００３８】
上述したように、本実施形態の舶用ボイラ１Ａは、蒸発管側でボイラ本体下面２ａの両端部及び中間部のいずれか１箇所を固定支持する固定支持脚２０Ａと、蒸発管側のボイラ本体下面２ａで固定支持脚２０Ａと異なる箇所を缶前後方向の熱伸びを許容して支持する蒸気管側スライド支持脚２０と、火炉側で缶左右方向を含む熱伸びを許容してボイラ本体下面２ａの両端部及び中間部を支持する火炉側スライド支持脚３０，３０Ａと、を備えた自立式ボイラであり、過熱器ヘッダ１１は、缶前後方向両端部をボイラ本体下面２ａ側から吊下支持する過熱器サポート部材４０と、ボイラ本体下面２ａの中間部を支持する固定支持脚２０Ａに固定支持された過熱器中間サポート部材５０と、により支持されている。
【００３９】
このため、大型化して奥行寸法や幅寸法が増した舶用ボイラ１Ａにおいても現地工事の追加等が不要となり、固定支持脚２０Ａ、蒸発管側スライド支持脚２０及び火炉側スライド支持脚３０Ａ、３０を備えた自立式ボイラとして、自立式ボイラの特長を維持することができる。
さらに、大型化した舶用ボイラ１Ａにおいては、過熱器中間サポート部材５０で長尺化した過熱器ヘッダ１１の中央付近を支持して撓みを抑えることができる。この結果、過熱器ヘッダ１１の支持構造物である過熱器サポート部材４０及び過熱器中間サポート部材５０等に変形が加わることを防止でき、従って、過熱器ヘッダ１１の支持構造物に許容応力以上の応力が発生することもないので、信頼性や耐久性が向上する。
【００４０】
また、過熱器中間サポート部材５０には、固定支持脚２０Ａから缶左右方向への距離に応じた熱伸びを生じるが、過熱器ヘッダ１１の両端部を支持する過熱器サポート部材４０が制限することにより、火炉２の傾斜によるスラスト力の悪影響はない。
上述したように、本実施形態の舶用ボイラ１Ａは、過熱器ヘッダ１１の支持において、過熱器サポート部材４０で過熱器の荷重を負担して構造強度を確保し、さらに、過熱器中間サポート部材５０で長尺化による撓みを抑えるものである。
【００４１】
また、固定支持脚２０Ａ及び蒸気管側スライド支持脚２０の近傍に過熱器ヘッダ１１を配設するとともに、この過熱器ヘッダ１１を、缶前後方向両端部をボイラ本体下面２ａ側から吊下支持する過熱器サポート部材４０と、ボイラ本体下面２ａの中間部を支持する固定支持脚２０Ａに固定支持された過熱器中間サポート部材５０とにより支持させる過熱器ヘッダ支持方法を採用すれば、固定支持脚２０Ａ、蒸発管側スライド支持脚２０及び火炉側スライド支持脚３０，３０Ａを備えた自立式パッケージボイラの特長を維持し、さらに、過熱器中間サポート部材５０で長尺化した過熱器ヘッダ１１の中央付近を支持して撓みを抑えることができる。
【００４２】
このように、本実施形態の舶用ボイラ１Ａは、現地据付工事の簡素化及び最小化という自立式ボイラの特長を損なうことなく火炉２の全体を大型化でき、しかも、火炉２や過熱器ヘッダ１１の撓み量抑制や熱変形対策も施されて信頼性や耐久性が高いものとなる。
なお、本発明は上述した実施形態に限定されることはなく、その要旨を逸脱しない範囲内において適宜変更することができる。
【符号の説明】
【００４３】
１，１Ａ    舶用ボイラ
２    火炉
２ａ    ボイラ本体下面
９    水ドラム
１１    過熱器ヘッダ
１２    サイドボトムヘッダ
１３    底部ヘッダ
２０    蒸気管側スライド支持脚
２０Ａ    固定支持脚
３０，３０Ａ    火炉側スライド支持脚
４０    過熱器サポート部材
５０    過熱器中間サポート部材
５１    アーム固定部材
５１ａ    支持面
５２    アーム部材
５２ａ    ベース板
５２ｂ    柱状部材
５２ｃ    ヘッダ支持面
５２ｄ    長穴
５３    ボルト
【図１】
2014001878.tif 000003
【図２】
2014001878.tif 000004
【図３】
2014001878.tif 000005
【図４】
2014001878.tif 000006
【図５】
2014001878.tif 000007
【図６】
2014001878.tif 000008
【図７】
2014001878.tif 000009
【図８】
2014001878.tif 000010